(57)【要約】受信機は、例えばテレビ（ＴＶ）及びＦＭラジオ信号のような、異なる種類の受信信号を扱うことができる。受信機では、ミキサ（ＭＩＸ）は受信信号を発振器信号（ＯＯＳ）と混合し、受信信号を周波数偏移した信号を含むミキサ出力信号ＭＯＳを得る。中間周波数増幅器（ＩＦＡＭＰ）は、増幅されたミキサ出力信号（ＭＯＳＡ）を２つの異なる中間周波数フィルタ（ＩＦＴＶ、ＩＦＦＭ）に加える。一方は第１の種類の受信信号用であり、他方は第２の種類の受信信号用である。切替自在の結合部（ＤＢＴＰ、ＳＷＡ）を、ミキサ（ＭＩＸ）と中間周波数増幅器（ＩＦＡＭＰ）との間に結合する。切替自在の結合部(ＤＢＴＰ、ＳＷＡ)は、第１の状態と第２の状態に切り替えられる。第１の状態では、ミキサ出力信号（ＭＯＳ）は、実質的に第１の結合経路（ＤＴＢＰ）を経由して、中間周波数増幅器（ＩＦＡＭＰ）の入力端（ＩＡＤ）に達する。第２の状態では、ミキサ出力信号（ＭＯＳ）は、実質的に第２の結合経路（ＤＴＢＰ）を経由して、中間周波数増幅器（ＩＦＡＭＰ）の入力端（ＩＡＤ）に達する。
2009504056.tif 000002
【特許請求の範囲】
【請求項１】
異なる種類の受信信号を受信するように構成された受信機であって：
受信信号と発振器信号とを混合し、前記受信信号を周波数偏移した信号を含むミキサ出力信号を得るように構成されたミキサと；
増幅したミキサ出力信号を、一方の中間周波数フィルタは第１の種類の受信信号用であり他方の中間周波数フィルタは第２の種類の受信信号用である、２つの異なる中間周波数フィルタに加えるように構成された中間周波数増幅器と；
前記ミキサと前記中間周波数増幅器との間に配置され、前記ミキサ出力信号が実質的に、第１の結合経路を経由して前記中間周波数増幅器の入力端に達する第１の状態と、前記ミキサ出力信号が実質的に、第２の結合経路を経由して前記中間周波数増幅器の前記入力端に達する第２の状態とに切替え可能である、切替自在の結合部と；
を備えることを特徴とする受信機。
【請求項２】
前記第１の結合経路が前記第１の種類の受信信号用のフィルタを備える、請求項１に記載の受信機。
【請求項３】
前記第２の結合経路（ＳＷＡ）が増幅器を備える、請求項１に記載の受信機。
【請求項４】
前記切替自在の結合部が、前記第１の種類の受信信号用の前記フィルタに並列に結合するスイッチを備え、前記スイッチは前記スイッチが閉じた状態の場合に前記第２の結合経路を形成する、請求項２記載の受信機。
【請求項５】
前記スイッチがＯＮとＯＦＦに切り替えることができる増幅器の形をとる、請求項４に記載の受信機。
【請求項６】
前記受信機は、ＴＶ信号及びＦＭラジオ信号を受信するように構成され、
前記一方の中間周波数フィルタは、典型的なＴＶ信号の帯域幅と一致する帯域幅を有し、
前記他方の中間周波数フィルタは、典型的なＦＭラジオ信号の帯域と一致する帯域を有する、請求項１に記載の受信機。
【請求項７】
異なる種類の受信信号を受信するように構成された受信機を制御する方法であって、
前記受信機は、
受信信号と発振器信号とを混合し、前記受信信号を周波数偏移した信号を含むミキサ出力信号を得るように構成されたミキサと；
増幅したミキサ出力信号を、一方の中間周波数フィルタは第１の種類の受信信号用であり他方の中間周波数フィルタは第２の種類の受信信号用である、２つの異なる中間周波数フィルタに加えるように構成された中間周波数増幅器と；
前記ミキサと前記中間周波数増幅器との間に配置され、前記ミキサ出力信号が実質的に、第１の結合経路を経由して前記中間周波数増幅器の入力端に達する第１の状態と、前記ミキサ出力信号が実質的に、第２の結合経路を経由して前記中間周波数増幅器の前記入力端に達する第２の状態とに切替え可能である、切替自在の結合部と；
を備え、
前記方法は、
前記第１の種類又は前記第２の種類の受信信号の選択に対応するコマンドに応答して、前記切替自在の結合部が、前記第１の状態又は前記第２の状態にそれぞれ切り替わる制御ステップを備えることを特徴とする、受信機を制御する方法。
【請求項８】
異なる種類の受信信号を受信するように構成された受信機用のコンピュータプログラム製品であって、
前記受信機は、
受信信号と発振器信号とを混合し、前記受信信号を周波数偏移した信号を含むミキサ出力信号を得るように構成されたミキサと；
増幅したミキサ出力信号を、一方の中間周波数フィルタは第１の種類の受信信号用であり他方の中間周波数フィルタは第２の種類の受信信号用である、２つの異なる中間周波数フィルタに加えるように構成された中間周波数増幅器と；
前記ミキサと前記中間周波数増幅器との間に配置され、前記ミキサ出力信号が実質的に、第１の結合経路を経由して前記中間周波数増幅器の入力端に達する第１の状態と、前記ミキサ出力信号が実質的に、第２の結合経路を経由して前記中間周波数増幅器の前記入力端に達する第２の状態とに切替え可能である、切替自在の結合部と；
を備え、
前記コンピュータプログラム製品は、
前記受信機にロードされた場合に、前記受信機に対し請求項７に記載の方法を実行させる一組の命令を有することを特徴とする、受信機用コンピュータプログラム製品。
【請求項９】
請求項１に記載の受信機と、前記受信機が受信信号から得ている信号をレンダリングするオーディオビジュアルレンダリング装置とを備える、オーディオビジュアルシステム。
【発明の詳細な説明】
【技術分野】
【０００１】
本発明の一つの態様は、例えばテレビ（ＴＶ）及びＦＭラジオ信号のような、異なる種類の受信信号を扱うことができる受信機に関するものである。この受信機は、例えば、パーソナルコンピュータ又は他の任意の種類のマルチメディア機器にプラグインできる、いわゆるアドオンボードの形式とすることができる。本発明の他の態様は、受信機、受信機用のコンピュータプログラム製品、及びオーディオビジュアルシステムを制御する方法に関するものである。
【背景技術】
【０００２】
特許文献１は、テレビ及びＦＭラジオの双方に対する受信機を記載している。この受信機は、アンテナ信号をカスケード接続された、フィルタ、ミキサ、及び中間周波数増幅器に加える。この中間周波数増幅器の出力を、ＦＭ音声復調器に接続した出力端を有するセラミックフィルタに加える。この中間周波数増幅器の出力を、テレビ中間周波数プロセッサに接続した出力端を有する表面弾性波フィルタにも加える。
【特許文献１】米国特許公報第２００２／０１５８９９２号
【発明の開示】
【０００３】
本発明の一態様によれば、異なる種類の受信信号を扱える受信機は、以下の特徴を有する。ミキサは、受信信号と発振器信号とを混合し、受信信号を周波数偏移した信号を含むミキサ出力信号を得る。中間周波数増幅器は、増幅したミキサ出力信号を、一方は第１の種類の受信信号用であり他方は第２の種類の受信信号用である、２つの異なる中間周波数フィルタに加える。切替自在の結合部を、ミキサと中間周波数増幅器との間に結合する。切替自在の結合部は、第１の状態及び第２の状態に切替え可能である。第１の状態では、ミキサ出力信号は実質的に、第１の結合経路を経由して、中間周波数増幅器の入力端に達する。第２の状態では、ミキサ出力信号は実質的に、第２の結合経路を経由して、中間周波数増幅器の入力端に達する。
【０００４】
本発明は、以下の態様を考慮する。異なる種類の受信信号を扱える受信機は、ミキサ及び中間周波数増幅器を含む、共通の信号処理経路を有することができる。中間周波数増幅器の出力端を分割し、一方は一方の種類の受信信号用、他方は他方の受信信号用である、２つの異なる中間周波数フィルタに結合する。上記先行技術は、このようなアーキテクチャの１つの例である。
【０００５】
一般に中間周波数フィルタは、比較的高くなりうる挿入損失を有する。共通の信号処理経路は、この挿入損失を補填し、満足のいく雑音指数を得るために、十分な利得を設けるべきである。共通の信号処理経路は、例えば、信号伝達特性における非線形性によってもたらされる相互変調生成信号のような、擬似信号の生成を避けられない。一般に、信号処理要素がより高い利得を設けるほど、信号処理要素が生成する相互変調生成信号はより強くなる。雑音と相互変調との間を調整する必要がある。
【０００６】
共通の信号処理経路の利得を、比較的低い周波数を扱う中間周波数増幅器に集中させることが望ましい。言ってみれば、高い周波数より低い周波数のほうが利得を得やすい。不安定さのリスクも低い。さらに、周波数がより低いほど、信号伝達特性をより線形にすることができる。いずれにしても、中間周波数増幅器は、雑音と相互変調との間を調整する観点から、重要な要素となる。この意味において、中間周波数増幅器は、一方の種類の受信信号に対して、他方の種類の受信信号に対してよりも、より影響を与えうる。
【０００７】
ミキサと中間周波数増幅器との間に結合する共通のフィルタが、雑音と相互変調との間での優れた調整をもたらすことができる。共通のフィルタは、擬似信号をある程度、特に、中間周波数増幅器が最も影響を与える種類の受信信号に関して、減衰するものとすることが望ましい。いずれにしても、共通のフィルタは、一方及び他方の種類の受信信号に対して適合した、バンドパスフィルタ特性をもたらすべきである。さらに、共通のフィルタは、一方及び他方の種類の受信信号について、挿入損失が少ないことが望ましい。新たな調整をする必要がある。一方及び他方の種類の受信信号に対する雑音と相互変調との間の調整を効率的に改善する共通のフィルタの実装は、一般に複雑であり、従って費用がかかる。
【０００８】
本発明の上記態様によれば、切替自在の結合部をミキサと中間周波数増幅器との間に結合する。切替自在の結合部は、第１の状態及び第２の状態に切替え可能である。第１の状態では、ミキサ出力信号は実質的に、第１の結合経路を経由して、中間周波数増幅器の入力端に達する。第２の状態では、ミキサ出力信号は実質的に、第２の結合経路を経由して、中間周波数増幅器の入力端に達する。
【０００９】
上記結合経路の１つを、中間周波数増幅器が最も影響を与える受信信号の種類に対して、雑音とひずみとの間で満足いく調整をするものにできる。他方の種類の受信信号は他の結合経路を経由して中間周波数増幅器に達するため、一方及び他方の種類の受信信号に対して、ミキサから中間周波数増幅器へのそれぞれの信号伝達の間での調整をする必要がない。複雑なフィルタ構成を避けることができる。結果として、本発明によれば、共通の結合経路の代わりに２つの異なる結合経路がミキサと中間周波数増幅器との間に存在するが、本発明による実装は一般に、同程度の性能レベルに対する共通の結合経路実装に比べ、費用がかからない。上記理由により、本発明は比較的良好な受信品質を、比較的控えめな費用で可能にする。
【００１０】
本発明の上記及び他の態様を、図を参照して以下により詳細に説明する。
【発明を実施するための最良の形態】
【００１１】
図１はオーディオビジュアルシステムＡＶＳを示す。オーディオビジュアルシステムＡＶＳは、受信機ＲＥＣ、オーディオビジュアルレンダリング装置ＡＶＤ、及び遠隔制御装置ＲＣＤを備える。オーディオビジュアルレンダリング装置ＡＶＤは、例えば、ステレオラウンドスピーカを有するフラットパネルディスプレイでよい。受信機ＲＥＣは、ユーザが遠隔制御装置ＲＣＤによって選択しているＦＭラジオ局からのオーディオ信号を、オーディオビジュアルレンダリング装置ＡＶＤにレンダリングさせることができる。オーディオビジュアルレンダリング装置ＡＶＤは、さらにＦＭラジオ局が放送するデータ信号もレンダリングできる。受信機ＲＥＣはさらに、ユーザが選択しているテレビ（ＴＶ）局からのオーディオビジュアル信号を、オーディオビジュアルレンダリング装置ＡＶＤにレンダリングさせることができる。
【００１２】
受信機ＲＥＣは、ＦＭラジオ入力端ＦＭＩ及びＴＶ入力端ＴＶＩを有する。受信機ＲＥＣは、無線周波数プロセッサＲＦＰ、周波数変換器ＦＣＶ、ＦＭ中間周波数フィルタＩＦＦＭ、及びＴＶ中間周波数フィルタＩＦＴＶを備える。上記要素は、例えば、缶型（ｔｉｎ  ｃａｎ）筐体を有するチューナーモジュールの一部を形成できる。ＦＭ中間周波数フィルタＩＦＦＭには、セラミックフィルタが望ましい。ＴＶ中間周波数フィルタＩＦＴＶには、表面弾性波（ＳＡＷ）フィルタが望ましい。受信機ＲＥＣはさらに、ＦＭ復調器ＦＭＤ、ＴＶ復調器ＴＶＤ、ドライバ回路ＤＲＣ、及びコントローラＣＴＲＬを備える。コントローラＣＴＲＬは、例えば、適切にプログラムされたマイクロコントローラ形式にできる。
【００１３】
受信機ＲＥＣは以下のように動作する。遠隔制御装置ＲＣＤによって、ユーザがＦＭラジオ局を選択しているとする。遠隔制御装置ＲＣＤはコントローラＣＴＲＬにコマンドを送り、選択すべきＦＭラジオ局を通知する。これに応答して、コントローラＣＴＲＬは、無線周波数プロセッサＲＦＰにＦＭラジオ入力端ＦＭ１上の無線周波数スペクトルＲＦ１を処理させる。無線周波数スペクトルＲＦ１は、ユーザが選択しているＦＭラジオ局から発せられる無線周波数信号を含む。この無線周波数信号を、これ以降、被選択ＦＭラジオ信号と称する。受信機ＲＥＣはＦＭモードで動作する。
【００１４】
無線周波数プロセッサＲＦＰは、被選択ＦＭラジオ信号を増幅し、無線周波数スペクトルＲＦ１の中の他の信号、特に被選択ＦＭラジオ信号から周波数的に比較的離れた信号を減衰させる。無線周波数プロセッサＲＦＰは、処理された無線周波数スペクトルＰＲＦを周波数変換器ＦＣＶに加える。
【００１５】
周波数変換器ＦＣＶ回路は、処理された無線周波数スペクトルＰＲＦを中間周波数スペクトルＩＦに変換する。中間周波数スペクトルＩＦは、被選択ＦＭラジオ信号を周波数偏移した信号を含む。より具体的には、コントローラＣＴＲＬは、周波数変換器ＦＣＶ回路に特別な周波数偏移を実行させる。この特別な周波数シフトによって、被選択ＦＭラジオ信号を周波数偏移した信号は、所定のＦＭ中間周波数となる。所定のＦＭ中間周波数は、１０．７ＭＨｚが望ましい。
【００１６】
ＦＭ中間周波数フィルタＩＦＦＭは、中間周波数スペクトルＩＦをフィルタ処理する。ＦＭ中間周波数フィルタＩＦＦＭは、望ましくは１０．７ＭＨｚである、所定の中間周波数を中心とした通過帯域を有する。通過帯域は、例えば２００ｋＨｚである、典型的なＦＭラジオ信号の帯域幅と一致する。中間周波数フィルタは、所望のＦＭラジオ信号を周波数偏移した信号を実質的に含む、フィルタ処理されたＦＭ中間周波数スペクトルＩＦＦをもたらす。他の任意の信号は、相対的に大きく減衰させる。
【００１７】
ＦＭ復調器ＦＭＤは、フィルタ処理されたＦＭ中間周波数スペクトルＩＦＦからＦＭオーディオ信号ＦＭＡを得る。ＦＭ復調器ＦＭＤはさらに、ＦＭラジオ局が放送するデータ信号を得ることができる。さらに、ＦＭ復調器ＦＭＤは、無線周波数プロセッサＲＦＰに対してＦＭ利得制御信号を与えることができる。図１は破線でこの様子を示す。利得制御信号は、フィルタ処理されたＦＭ中間周波数スペクトルＩＦＦにおける信号レベルを表す。
【００１８】
ドライバ回路ＤＲＣは、レンダリング駆動信号ＤＤＳをオーディオビジュアルレンダリング装置ＡＶＤに与える。レンダリング駆動信号ＤＤＳは、オーディオ成分とビデオ成分を有する。ＦＭモードでは、オーディオ成分は、ユーザが選択しているＦＭラジオ局の放送を表すＦＭオーディオ信号ＦＭＡを増幅した信号を含む。ビデオ成分は、放送に伴うデータ信号、又はユーザが選択しているＦＭラジオ局に関するビジュアル情報、若しくはこの双方を含みうる。ビデオ成分はさらに、適切なビジュアル背景、例えば動きのあるビジュアル背景を含みうる。
【００１９】
ここでは、ユーザがＴＶ局を選択しているとする。この場合には、無線周波数プロセッサＲＦＰは、ＴＶ入力端ＴＶ１上の無線周波数スペクトルＲＦ２を処理する。無線周波数スペクトルＲＦ２は、ユーザが選択しているＴＶ局から発せられる無線周波数信号を含む。この信号を、これ以降、被選択ＴＶ信号と称する。受信機ＲＥＣはＴＶモードで動作する。
【００２０】
無線周波数プロセッサＲＦＰは、被選択ＴＶ信号を増幅し、無線周波数スペクトルＲＦ２の中の他の信号、特に被選択ＴＶ信号から周波数的に比較的離れた信号を減衰させる。無線周波数プロセッサＲＦＰは、処理された無線周波数スペクトルＰＲＦを周波数変換器ＦＣＶに加え、ＦＭモードと同様に、周波数変換器ＦＣＶは処理された無線周波数スペクトルＰＲＦを中間周波数スペクトルＩＦに変換する。中間周波数スペクトルＩＦは、被選択ＴＶ信号を周波数偏移した信号を含む。
【００２１】
ＴＶモードでは、周波数変換器ＦＣＶが周波数偏移を実行するため、被選択ＴＶ信号を周波数偏移した信号は所定のＴＶ中間周波数となる。所定のＴＶ中間周波数は、例えば、被選択ＴＶ信号中に含まれる映像搬送波に対して３８．９ＭＨｚにできる。所定のＴＶ中間周波数は、このように、１０．７ＭＨｚである所定のＦＭ中間周波数とは異なる。
【００２２】
ＴＶ中間周波数フィルタＩＦＴＶは、中間周波数スペクトルＩＦをフィルタ処理する。ＴＶ中間周波数フィルタＩＦＴＶは、被選択ＴＶ信号を周波数偏移した信号の映像搬送波を含む、通過帯域を有する。通過帯域は、例えば５．５ＭＨｚである典型的なＴＶ信号の帯域幅と一致する。中間周波数フィルタは、所望のＴＶ信号を周波数偏移した信号を実質的に含む、フィルタ処理されたＴＶ中間周波数スペクトルＩＦＴをもたらす。他の任意の信号は、相対的に大きく減衰させる。
【００２３】
ＴＶ復調器ＴＶＤは、フィルタ処理されたＴＶ中間周波数スペクトルＩＦＴからオーディオビジュアル信号ＴＶＡを得る。オーディオビジュアル信号ＴＶＡは、ＴＶビデオ信号及びＴＶ音声信号を含む。ＴＶモードでは、レンダリング駆動信号ＤＤＳのビデオ成分は、ＴＶビデオ信号を増幅した信号を含む。ビデオ成分は、ユーザが選択しているＴＶ局が放送する、文字多重放送データも含むことができる。オーディオ成分はＴＶ音声信号を含む。ＴＶ復調部ＴＶＤは、無線周波数プロセッサＲＦＰに対してＴＶ利得制御信号をもたらすことができる。図１はこの様子を破線で示す。ＴＶ利得制御信号は、フィルタ処理されたＴＶ中間周波数スペクトルＩＦＴにおける信号レベルを表す。
【００２４】
図２は周波数変換器ＦＣＶを示す。周波数変換器ＦＣＶは、ミキサＭＩＸ、発振器ＯＳＣ、切替自在のバイパス増幅器ＳＷＡ、及び中間周波数増幅器ＩＦＡＭＰを備える。ミキサＭＩＸは、対称な信号出力端を有する、いわゆる二重平衡型ミキサが望ましい。切替自在のバイパス増幅器ＳＷＡ及び中間周波数増幅器ＩＦＡＭＰは、差動増幅器である。切替自在のバイパス増幅器ＳＷＡは、例えば切替え可能なテール電源を備える差動トランジスタの組を含むことができる。図２は同様の内容を示す。図２はさらに、差動信号入力端ＩＡＤを有する中間周波数増幅器ＩＦＡＭＰを示す。上記要素は、例えば集積回路ＩＣの一部を形成できる。図２において、比較的大きなドットで示した長方形は集積回路ＩＣを示す。
【００２５】
周波数変換器ＦＣＶはさらに、複同調バンドパスフィルタＤＴＢＰを有す。複同調バンドパスフィルタＤＴＢＰは、集積回路ＩＣの外部に、様々なインダクタンス及びキャパシタンスを含みうる。このような複同調バンドパスフィルタＤＴＢＰは、図１に示すＴＶ中間周波数フィルタＩＦＴＶの通過帯域に一致する比較的平坦な通過帯域をもたらす。比較的平坦な通過帯域により、高品質ＴＶ受信が可能になる。複同調バンドパスフィルタＤＴＢＰは、ミキサＭＩＸに結合した差動信号入力端と、中間周波数増幅器ＩＦＡＭＰの差動信号入力端ＩＡＤに結合する差動信号出力端とを備える対称構造を有することにさらに留意されたい。
【００２６】
周波数変換器ＦＣＶは以下のように動作する。図１が示す受信機ＲＥＣが、ＴＶモードで動作するとする。発振器ＯＳＣは、コントローラＣＴＲＬからチューニング制御信号を受信する。これに応答して、発振器ＯＳＣは、被選択ＴＶ信号の中の映像搬送波の周波数と所定のＴＶ中間周波数とを加えたものに等しい周波数を有する、発振器出力信号ＯＯＳをもたらす。あるいは、発振器出力信号ＯＯＳの周波数は、被選択ＴＶ信号の中の映像搬送波の周波数から所定のＴＶ中間周波数を引いたものと等しくなりうる。
【００２７】
ミキサＭＩＸは、処理された無線周波数スペクトルＰＲＦと発振器出力信号ＯＯＳを混合する。ミキサＭＩＸは、２つの上記信号を混合した結果である、ミキサ出力信号ＭＯＳをもたらす。ミキサ出力信号ＭＯＳは差動信号である。ミキサ出力信号ＭＯＳは、被選択ＴＶ信号を周波数偏移した信号と、干渉信号とみなすことができる他の信号とを含む。
【００２８】
周波数選択特性をもたらす無線周波数プロセッサＲＦＰは、ある程度、比較的強い干渉信号がミキサ出力信号ＭＯＳの中に現れるのを防ぐ。これは特に、被選択ＴＶ信号の周波数から比較的離れた周波数の干渉信号に対して当てはまる。しかしながら、無線周波数プロセッサＲＦＰは、被選択ＴＶ信号の周波数に比較的近い周波数の干渉信号の減衰には、効率が劣る。結果として、ミキサ出力信号ＭＯＳは、まだ比較的強い隣接周波数信号を含みうる。
【００２９】
ＴＶモードでは、コントローラＣＴＲＬは、切替自在のバイパス増幅器ＳＷＡをＯＦＦ状態にする。ＯＦＦ状態では、切替自在のバイパス増幅器ＳＷＡは、ミキサＭＩＸと中間周波数増幅器ＩＦＡＭＰとの間に結合される、開路を構成する。すなわち、ミキサ出力信号ＭＯＳは実質的に、切替自在のバイパス増幅器ＳＷＡを経由して、中間周波数増幅器ＩＦＡＭＰの差動信号入力端ＩＡＤに達することができない。切替自在のバイパス増幅器ＳＷＡを経由するわずかな信号伝達は、例えば寄生キャパシタンスによる信号漏れに起因するものである。切替自在のバイパス増幅器ＳＷＡは、信号漏れが比較的抑えられるものとするのが望ましい。理想的には、切替自在のバイパス増幅器ＳＷＡは、テレビモードでは存在しないものとできる。
【００３０】
テレビモードでは、複同調バンドパスフィルタＤＴＢＰは、ミキサ出力信号ＭＯＳが実質的に中間周波数増幅器ＩＦＡＭＰの差動信号入力端ＩＡＤに達する、結合経路を構成する。複同調バンドパスフィルタＤＴＢＰは、ミキサ出力信号ＭＯＳの中に存在しうる、隣接周波数信号を減衰する。バンドパスフィルタ処理されたミキサ出力信号は、中間周波数増幅器ＩＦＡＭＰの差動信号入力端ＩＡＤに現れる。中間周波数増幅器ＩＦＡＭＰは、バンドパスフィルタ処理されたミキサ出力信号を増幅した信号である、増幅されたミキサ出力信号ＭＯＳＡをもたらす。増幅されたミキサ出力信号ＭＯＳＡは、中間周波数スペクトルＩＦを含む。
【００３１】
中間周波数増幅器ＩＦＡＭＰは、特に、ＴＶ中間周波数フィルタＩＦＴＶが表面弾性波フィルタである場合には、比較的高い利得を有する。この理由は以下の通りである。表面弾性波フィルタは比較的高い挿入損失を有する。表面弾性波フィルタに先行する信号処理経路は、ひどい雑音指数を防ぐために比較的高い利得を必要とする。信号処理経路は、信号伝達特性における非線形性による、相互変調生成信号の生成を避けられない。このような相互変調生成信号は、所望の信号のスペクトル成分と一致しうる干渉信号を構成する。これはＳＮ（信号雑音）比を悪化させる。一般に、信号処理要素の利得が高いほど、より強い（信号処理要素が生成する）相互変調生成信号をもたらす。利得と相互変調との間での調整をする必要がある。
【００３２】
図１に示す受信機ＲＥＣにおいて、無線周波数プロセッサＲＦＰ、ミキサＭＩＸ、複同調バンドパスフィルタＤＴＢＰ及び中間周波数増幅器ＩＦＡＭＰは、望ましくは表面弾性波フィルタであるＴＶ中間周波数フィルタＩＦＴＶに先行する、信号処理経路を構成する。ここより前には、無線周波数プロセッサＲＦＰがある程度の周波数選択特性をもたらすことと、複同調バンドパスフィルタＤＴＢＰが、特に隣接周波数信号に関して、さらなる周波数選択特性をもたらすこととを記載している。中間周波数増幅器ＩＦＡＭＰは、従って、ミキサＭＩＸ及び無線周波数プロセッサＲＦＰに比べ、相互変調生成信号を生成する影響を受けにくい。ＴＶ中間周波数フィルタＩＦＴＶの信号損失に対する補償に必要な利得は、中間周波数増幅器ＩＦＡＭＰに集中させることが望ましい。従って、利得と相互変調との間での優れた調整を実現し、よいＳＮ比が得られる。
【００３３】
ここでは、受信機ＲＥＣがＦＭモードで動作するとする。この場合には、発振器出力信号ＯＯＳの周波数は、被選択ＦＭ信号の周波数と、所定のＦＭ中間周波数とを加えたものに等しい。あるいは、発振器出力信号ＯＯＳの周波数は、被選択ＦＭ信号の周波数から所定のＦＭ中間周波数を引いたものに等しくなりうる。ＴＶモードのように、ミキサＭＩＸは、上記２つの信号を混合した結果である、ミキサ出力信号ＭＯＳをもたらす。ミキサ出力信号ＭＯＳは、被選択ＦＭ信号を周波数偏移した信号と、干渉信号とみなすことができる他の信号とを含む。
【００３４】
ＦＭモードでは、コントローラＣＴＲＬは、切替自在のバイパス増幅器ＳＷＡをＯＮ状態にする。ＯＮ状態では、切替自在のバイパス増幅器ＳＷＡは、ミキサ出力信号ＭＯＳが実質的に中間周波数増幅器ＩＦＡＭＰの差動信号入力端ＩＡＤに達する、結合経路を構成する。すなわち、ＦＭモードでは複同調バンドパスフィルタＤＴＢＰを効率的にバイパスする。切替自在のバイパス増幅器ＳＷＡは、ミキサ出力信号ＭＯＳをスケールする。切替自在のバイパス増幅器ＳＷＡは、利得となる１より大きいスケーリングファクタ、又は減衰となる１より小さいスケーリングファクタ、又はバッファリングとなる実質的に１であるスケーリングファクタを提供しうる。スケールされたミキサ出力信号は、中間周波数増幅器ＩＦＡＭＰの差動信号入力端ＩＡＤに現れる。中間周波数増幅器ＩＦＡＭＰがもたらす増幅されたミキサ出力信号ＭＯＳＡは、スケールされたミキサ出力信号を増幅した信号である。
【００３５】
切替自在のバイパス増幅器ＳＷＡは、ＦＭモードでは複同調バンドパスフィルタＤＴＢＰをバイパスするため、複同調バンドパスフィルタＤＴＢＰは、比較的簡易な構成で満足できるＴＶ受信性能をもたらすことができる。例えば、切替自在のバイパス増幅器ＳＷＡが存在せず、複同調バンドパスフィルタＤＴＢＰが組み合わされたＦＭ／ＴＶフィルタに置き換えられたとする。このような組み合わされたＦＭ／ＴＶフィルタは、１０．７ＭＨｚとできる所定のＦＭ中間周波数の通過帯域と、映像搬送波に対して３８．９ＭＨｚとできるＴＶ中間周波数の通過帯域とを持つ必要がある。比較的平坦な通過帯域をＴＶ中間周波数で実現するには、比較的複雑なフィルタ構造が必要となる。逆に、ＴＶ中間周波数の通過帯域は、複同調バンドパスフィルタＤＴＢＰと同程度の簡易なフィルタ構成が用いられる場合には、比較的大きく変動する増幅特性を有することになる。このような粗い通過帯域では、高品質のＴＶ受信が可能にならない。対称的に、複同調バンドパスフィルタＤＴＢＰは、満足いくＦＭラジオ受信と共存できる、高品質なＴＶ受信を可能にする。
【００３６】
図３は周波数変換器ＦＣＶの別実装を示す。同じ参照符号は同じ要素を意味する。別実装は、２つの切替え可能な増幅器ＳＷＡ１、ＳＷＡ２を備える。ＦＭモードでは、切替え可能な増幅器ＳＷＡ１がＯＮ状態で、切替え可能な増幅器ＳＷ２はＯＦＦ状態である。ＴＶモードでは、状況は逆になる。すなわち、切替え可能な増幅器ＳＷＡ２がＯＮ状態で、切替え可能な増幅器ＳＷ１はＯＦＦ状態である。別実装は、図２が示す周波数変換器ＦＣＶに対する利点を有する。図２の周波数変換器ＦＣＶでは、複同調バンドパスフィルタＤＴＢＰは、切替自在のバイパス増幅器ＳＷＡに対するフィードバック経路を構成する。これは、発振及び他の擬似作用を防止するものであるべきという制約を、複同調バンドパスフィルタＤＴＢＰに課す。別実装では、そのようなフィードバック経路が存在しないため、上記制約は除去され、より優れた安全域をもたらす。
【００３７】
ここまでの詳細な説明及び図面を参照すると、各独立請求項にて挙げる以下の特性が示される。受信機（ＲＥＣ）は異なる種類の受信信号（ＴＶ及びＦＭラジオ）を扱える。受信機（ＲＥＣ）では、ミキサ（ＭＩＸ）は受信信号を発振器信号（ＯＯＳ）と混合し、受信信号を周波数偏移した信号を含むミキサ出力信号ＭＯＳを得る。中間周波数増幅器（ＩＦＡＭＰ）は、増幅されたミキサ出力信号（ＭＯＳＡ）を２つの異なる中間周波数フィルタ（ＩＦＴＶ、ＩＦＦＭ）に加える。一方（ＩＦＴＶ）は第１の種類の受信信号用であり、他方（ＩＦＦＭ）は第２の種類の受信信号用である。切替自在の結合部（ＤＢＴＰ、ＳＷＡ）を、ミキサ（ＭＩＸ）と中間周波数増幅器（ＩＦＡＭＰ）との間に結合する。切替自在の結合部(ＤＢＴＰ、ＳＷＡ)は、第１の状態と第２の状態に切り替えられる。第１の状態では、ミキサ出力信号（ＭＯＳ）は実質的に、第１の結合経路（ＤＴＢＰ）を経由して、中間周波数増幅器（ＩＦＡＭＰ）の入力端（ＩＡＤ）に達する。第２の状態では、ミキサ出力信号（ＭＯＳ）は実質的に、第２の結合経路（ＤＴＢＰ）を経由して、中間周波数増幅器（ＩＦＡＭＰ）の入力端（ＩＡＤ）に達する。
【００３８】
ここまでの詳細な説明はさらに、従属請求項にて挙げる様々な随意の特性を示す。これらの特性は上記特性と組み合わせて有利に適用できる。様々な随意の特性を以下の段落にて明らかにする。各段落は特定の従属請求項に対応する。
【００３９】
第１の結合経路（ＤＴＢＰ）は、第１の種類の受信信号用のフィルタを備える。これはさらに、比較的良好な受信品質に貢献する。
【００４０】
第２の結合経路（ＳＷＡ）は、増幅器を備える。これはさらに、比較的良好な受信品質に貢献する。
【００４１】
切替自在の結合部（ＤＢＴＰ，ＳＷＡ）は、第１の種類の受信信号用のフィルタに並列に結合するスイッチを備える。スイッチが閉じた状態の場合には、スイッチは第２の結合経路（ＳＷＡ）の一部を形成する。これによりコスト効率に優れた実装が可能になる。
【００４２】
スイッチはＯＮとＯＦＦに切り替えることができる増幅器の形をとる。これによりコスト効率に優れた実装、特にコスト効率に優れた集積回路の実装が可能になる。上記特性は数多くの異なる方法で実装することが出来る。このことを示すため、いくつかの代替案を簡潔に示す。
【００４３】
上記特性は任意の種類の受信機に有利に適用できる。組み合わされたＴＶ／ＦＭは単に１つの例である。上記特性は、例えばデジタルオーディオ放送（ＤＡＢ）信号及び従来のＦＭラジオ信号を受信する受信機に同等に適用できる。別の例として、ＴＶ、ＤＡＢ及びＦＭラジオの組み合わせも可能である。また別の例は、ＦＭラジオ受信を備える携帯電話である。
【００４４】
結合部は数多くの異なる方法で実装できる。例えば、図２を参照すると、切替自在のバイパス増幅器ＳＷＡは、集積回路ＩＣの外部で、複同調バンドパスフィルタＤＴＢＰと並列に結合する、スイッチで置き換えられる。結合部は第１の種類の受信信号用のフィルタと、他の受信信号用の他のフィルタを備えうる。例えば、図３を参照すると、ＦＭフィルタを、ミキサＭＩＸと切替え可能な増幅器ＳＷＡ１との間、又は切替え可能な増幅器ＳＷＡ１と中間周波数増幅器ＩＦＡＭＰとの間に結合できる。
【００４５】
ハードウェアアイテム、又はソフトウェア、又は双方によって、機能を実装する数多くの方法がある。この点において、図は概略図にすぎず、それぞれは本発明の１つのとり得る態様だけを表している。従って、図は異なる機能を異なるブロックで示しているが、これは決して複数の機能を実行する単一アイテムのハードウェア又はソフトウェアを排除するものではない。複数アイテムのハードウェア又はソフトウェア或いはこれら双方のアセンブリが１つの機能を実行することを排除するものでもない。
【００４６】
ここまでの記載は、図面を参照しての詳細な説明が、本発明をむしろ制限するものではないことを立証している。添付の特許請求の範囲の範囲に収まる数多くの代替案が存在する。“含む／備える／有する”は、請求項に列挙されるもの以外の他の要素又はステップの存在を排除しない。要素又はステップは、そのような要素又はステップが複数あることを排除しない。
【図面の簡単な説明】
【００４７】
【図１】オーディオビジュアルシステムを示すブロック図である。
【図２】オーディオビジュアルシステムの一部を形成する周波数変換器を示すブロック図である。
【図３】周波数変換器の別実装を示すブロック図である。
【図１】
2009504056.tif 000003
【図２】
2009504056.tif 000004
【図３】
2009504056.tif 000005
【国際調査報告】
2009504056.tif 000006
2009504056.tif 000007
2009504056.tif 000008